(57)【特許請求の範囲】
【請求項１】
冷却液の供給部および回収部と、内側に開口部が設けられる枠状の枠部と、を有する保持部と、
前記保持部に対して前記開口部を貫通する方向に着脱可能な複数の取付部と、
前記複数の取付部のそれぞれに固定される複数の送受信モジュールと、
前記供給部に接続される一方の端部と前記回収部に接続される他方の端部とを有し、前記複数の取付部のそれぞれの内部に設けられるとともに前記供給部から前記冷却液の供給を受けて前記回収部に前記冷却液が排出される流路と、
前記供給部と前記一方の端部との間に介在される第１のノンリーク型コネクタと、
前記回収部と前記他方の端部との間に介在される第２のノンリーク型コネクタと、
を具備し、
前記複数の取付部は、前記枠部の内側に渡される補強部材である空中線装置。
【請求項２】
前記複数の取付部のそれぞれは、前記流路内に突出する放熱フィンを有する請求項１に記載の空中線装置。
【発明の詳細な説明】
【技術分野】
【０００１】
本発明の実施形態は、送受信モジュールを有する空中線装置に関する。
【背景技術】
【０００２】
例えば、発熱部品である送受信モジュールを多数有する空中線装置が存在している（特許文献１参照）。
【先行技術文献】
【特許文献】
【０００３】
【特許文献１】特開２００５−２６３６１号公報
【発明の概要】
【発明が解決しようとする課題】
【０００４】
空中線装置では、送受信モジュールを効率よく冷却するために、送受信モジュールを取り付ける取付構造の内部に冷媒を通すようにしている。一方、このように液冷式の冷却構造を採用すると、液漏れを生ずることから取付構造の着脱が困難となっていた。このため、上記空中線装置では、送受信モジュールの取付時の作業性およびメンテナンス性が良好といえず、これらの改良に関するニーズが存在していた。
【課題を解決するための手段】
【０００５】
実施形態の空中線装置は、冷却液の供給部および回収部を有する保持部と、前記保持部に対して着脱可能な複数の取付部と、前記複数の取付部のそれぞれに固定される複数の送受信モジュールと、前記供給部に接続される一方の端部と前記回収部に接続される他方の端部とを有し、前記複数の取付部のそれぞれの内部に設けられるとともに前記供給部から前記冷却液の供給を受けて前記回収部に前記冷却液が排出される流路と、前記供給部と前記一方の端部との間に介在される第１のノンリーク型コネクタと、前記回収部と前記他方の端部との間に介在される第２のノンリーク型コネクタと、を具備する。
【図面の簡単な説明】
【０００６】
【図１】実施形態にかかる空中線装置の全体構造を示した斜視図。
【図２】図１に示す空中線装置の保持部、反射板、供給部および回収部を示した正面図。
【図３】図１に示す空中線装置の反射板を取り外した状態を示した斜視図。
【図４】図３に示す空中線装置から１つの取付部を取り外した状態で示す斜視図。
【図５】図４に示す取付部を拡大して示した斜視図。
【図６】図５に示す取付部を第１の部材および第２の部材を分離して、流路および放熱フィンを示した斜視図。
【発明を実施するための形態】
【０００７】
以下、この発明の実施の形態について、図１から図６を参照して詳細に説明する。図１は、この発明の一実施の形態に係る空中線装置の全体像を示している。空中線装置は、例えば、いわゆるフェーズド・アレイ・レーダーとして作動して、目標の捜索等に用いることができる。
【０００８】
図１から図４に示すように、空中線装置１１は、枠状をなした枠部１２と、枠部１２に設けられた供給部１３および回収部１４と、供給部１３および回収部１４に接続される冷却装置１５と、供給部１３と冷却装置１５との間に介在される液送り管１６と、回収部１４と冷却装置１５との間に介在される液戻り管１７と、枠部１２の供給部１３および回収部１４に対して着脱可能で、内部に流路２３を有する複数の取付部１８と、複数の取付部１８のそれぞれに固定される複数の送受信モジュール２１と、枠部１２の正面に固定される反射板２２と、供給部１３と流路２３の後述する一方の端部２３Ａとの間に介在される第１のノンリーク型コネクタ２４と、回収部１４と流路２３の後述する他方の端部２３Ｂとの間に介在される第２のノンリーク型コネクタ２５と、を備えている。
【０００９】
また、取付部１８を保持するための保持部３１は、上記した、枠部１２、冷却装置１５、供給部１３、回収部１４、液送り管１６、および液戻り管１７を含んで構成される。枠部１２は、例えば、複数の板材を枠組みして形成される。
【００１０】
供給部１３は、例えば中空の管状をなして枠部１２と一体に形成されており、取付部１８に対して冷却液を供給することができる。供給部１３は、液送り管１６と接続するための第１の管コネクタ３２を含んでいる。また、供給部１３には、第１のノンリーク型コネクタ２４のソケット側の第２の部分２４Ｂが複数個取り付けられている。また、供給部１３には、取付部１８を固定する際にねじ３３が通されるねじ孔が設けられている。
【００１１】
回収部１４は、例えば中空の管状をなして枠部１２と一体に形成されており、取付部１８から冷却液を回収することができる。回収部１４は、液戻り管１７と接続するための第２の管コネクタ３４を含んでいる。また、回収部１４には、第２のノンリーク型コネクタ２５のソケット側の第２の部分２５Ｂが複数個取り付けられている。また、回収部１４には、取付部１８を固定する際にねじ３３が通されるねじ孔が設けられている。
【００１２】
冷却装置１５は、冷却液を一時的に所定の温度に冷却する一次側の冷凍サイクル１５Ａと、この一次側の冷凍サイクル１５Ａに熱交換可能に設けられた二次側の冷却液循環サイクル１５Ｂの一部と、を有する。一次側の冷凍サイクル１５Ａは、例えば、所定の冷媒を封入した冷媒圧縮機と、凝縮機と、減圧手段としての膨張弁と、熱交換器と、を含んでおり、これらを順次接続して閉回路を構成している。
【００１３】
二次側の冷却液循環サイクル１５Ｂは、例えば、冷却液（例えば、エチレン・グリコール液のような不凍液）貯蔵する冷却タンクと、冷却液を冷却タンクから取付部１８内の流路に向けて送る液ポンプと、冷凍サイクル１５Ａと熱交換可能な熱交換器と、を含んでいる。さらに、冷却液循環サイクル１５Ｂは、これら液ポンプおよび熱交換器以外に、液送り管１６と、供給部１３と、第１のノンリーク型コネクタ２４と、取付部１８に設けられる流路２３（図６参照）と、第２のノンリーク型コネクタ２５と、回収部１４と、液戻り管１７と、を含んでおり、これらを順次接続することで１つの閉回路を構成している。
【００１４】
図５、図６に示すように、取付部１８は、ねじ３３等を介して保持部３１の供給部１３および回収部１４に取り付けられる。取付部１８は、板状をなしており、枠部１２の内側に渡されて枠部１２および空中線装置１１の強度を向上させる補強部材（強度部材）として機能する。取付部１８は、アルミニウム合金等の熱伝導性の良好な材料で形成されている。取付部１８は、それぞれ板状をなした第１の部材４１と第２の部材４２とを真空ろう付け等で接合して形成される。なお、第１の部材４１と第２の部材４２とを接合する方法としては、真空ろう付けに限定されるものではなく、例えば、熱伝導性接着剤を用いたり、ねじを用いたり、或いは上記各方法を併用する固定方法であってもよい。
【００１５】
取付部１８は、一方の面４３と、他方の面４４と、内部に作りこまれる流路２３と、第１の部材４１および第２の部材４２から流路２３内にそれぞれ突出した複数の放熱フィン４５と、を有している。流路２３は、供給部１３に接続される一方の端部２３Ａと回収部１４に接続される他方の端部２３Ｂとを有している。流路２３は、供給部１３から冷却液の供給を受け、回収部１４に対して冷却液が排出することができる。
【００１６】
取付部１８の流路２３および放熱フィン４５は、例えば、第１の部材４１および第２の部材４２に機械加工を施して形成される。流路２３および放熱フィン４５の形状は、図６に示されるものに限定されず、機械加工およびその他の加工法により様々な形状を取りえる。
【００１７】
図４から図６に示すように、第１のノンリーク型コネクタ２４は、取付部１８側である流路２３の一方の端部２３Ａに設けられるプラグ状の第１の部分２４Ａと、供給部１３側に設けられるソケット状の第２の部分２４Ｂと、を含んでいる。同様に、第２のノンリーク型コネクタ２５は、取付部１８側である流路２３の他方の端部２３Ｂに設けられるプラグ状の第１の部分２５Ａと、回収部１４側に設けられるソケット状の第２の部分２５Ｂと、を含んでいる。
【００１８】
送受信モジュール２１は、取付部１８の一方の面４３と、他方の面４４と、の両面にそれぞれ設けられる。一方の面４３に設けられる送受信モジュール２１は、他方の面４４に設けられる送受信モジュール２１と重複する位置から外れた位置に設けられている。すなわち、一方の面４３に設けられる送受信モジュール２１と他方の面４４に設けられる送受信モジュール２１とは、取付部１８上で互い違いに配置されている。
【００１９】
図５に示すように、各送受信モジュール２１は、その先端にアンテナ部２１Ａを有しており、アンテナ部２１Ａに給電を行ってアレイ・アンテナ（アレイ・レーダー）としての機能が得られる。各送受信モジュール２１は、第２のねじ４６等によって取付部１８に固定される。
【００２０】
本実施形態によれば、空中線装置１１は、冷却液の供給部１３および回収部１４を有する保持部３１と、保持部３１に対して着脱可能な取付部１８と、取付部１８に固定される複数の送受信モジュール２１と、供給部１３に接続される一方の端部２３Ａと回収部１４に接続される他方の端部２３Ｂとを有し、取付部１８の内部に設けられるとともに供給部１３から冷却液の供給を受けて回収部１４に冷却液が排出される流路２３と、供給部１３と一方の端部２３Ａとの間に介在される第１のノンリーク型コネクタ２４と、回収部１４と他方の端部２３Ｂとの間に介在される第２のノンリーク型コネクタ２５と、を具備する。
【００２１】
この構成によれば、取付部１８を着脱可能にすることができる。これによって、取付部１８に送受信モジュール２１を最初に取り付ける組立時や、送受信モジュール２１の修理や交換をしたりするメンテナンス時に、保持部３１から取り外した状態で取付部１８に作業を行うことができる。特に、空中線装置としての主たる構成品である送受信モジュール２１の交換等のメンテナンス作業の際には、反射板２２を取り外し、取付部１８を送受信モジュール２１が取り付けられた状態で取り外すことが可能となる。従って、空中線装置１１全体を取付先から取り外すことなく交換作業等を行うことができるので、作業性を著しく向上できる。また、取付部１８および送受信モジュール２１を高密度で配置したとしても作業性が悪くなることがなく、取付部１８および送受信モジュール２１の高密度化を実現できる。これによって、空中線装置１１の高性能化および小型化を促進することができる。また、冷却液を通すための流路２３が取付部１８内に設けられているため、部品点数を削減できる、また、組立作業時に別途に管路の接続などの作業を行う必要がなく、作業負担を軽減できる。
【００２２】
また、保持部３１は、枠状をなした枠部１２を含んでおり、複数の取付部１８は、枠部１２の内側に渡される補強部材である。この構成によれば、補強部材に送受信モジュール２１の冷却機能を持たせることができる。これによって、冷却用の配管と補強部材とを別々に設ける場合に比して、空中線装置１１の小型化および構造の簡略化を図ることができる。
【００２３】
また、複数の取付部１８のそれぞれは、流路２３内に突出する放熱フィン４５を有する。この構成によれば、取付部１８の放熱性能を向上して、各送受信モジュール２１の冷却効率を向上することができる。
【００２４】
なお、空中線装置は上記実施形態そのままに限定されるものではなく、実施段階ではその要旨を逸脱しない範囲で構成要素を変形して具体化できる。すなわち、実施形態は例示であり、発明の範囲はそれらに限定されない。例えば、実施形態に示される全構成要素から幾つかの構成要素を削除してもよい。
以下に、本願出願の当初の特許請求の範囲に記載された発明を付記する。
［１］
冷却液の供給部および回収部を有する保持部と、
前記保持部に対して着脱可能な複数の取付部と、
前記複数の取付部のそれぞれに固定される複数の送受信モジュールと、
前記供給部に接続される一方の端部と前記回収部に接続される他方の端部とを有し、前記複数の取付部のそれぞれの内部に設けられるとともに前記供給部から前記冷却液の供給を受けて前記回収部に前記冷却液が排出される流路と、
前記供給部と前記一方の端部との間に介在される第１のノンリーク型コネクタと、
前記回収部と前記他方の端部との間に介在される第２のノンリーク型コネクタと、
を具備する空中線装置。
［２］
前記保持部は、枠状をなした枠部を含んでおり、
前記複数の取付部は、前記枠部の内側に渡される補強部材である［１］に記載の空中線装置。
［３］
前記複数の取付部のそれぞれは、前記流路内に突出する放熱フィンを有する［２］に記載の空中線装置。
【符号の説明】
【００２５】
１１…空中線装置、１２…枠部、１３…供給部、１４…回収部、１８…取付部、２１…送受信モジュール、２２…反射板、２３…流路、２３Ａ…一方の端部、２３Ｂ…他方の端部、２４…第１のノンリーク型コネクタ、２５…第２のノンリーク型コネクタ、３１…保持部、４３…一方の面、４４…他方の面、４５…放熱フィン
【図１】
0005694136.tif 000002
【図２】
0005694136.tif 000003
【図３】
0005694136.tif 000004
【図４】
0005694136.tif 000005
【図５】
0005694136.tif 000006
【図６】
0005694136.tif 000007